(57)【要約】【課題】  給電装置と電子機器との通信に応じて、電子機器への無線給電を制御し、電子機器での充電が適切に行われるようにすることを目的とする。【解決手段】  給電装置であって、電子機器に対して無線給電を行う給電手段と、前記電子機器が無線給電のアプリケーションを識別するためのデータを持っているか否かを確認するためのデータを前記電子機器に送信するように通信手段を制御する制御手段とを有し、前記電子機器が無線給電のアプリケーションを識別するためのデータを持っているか否かに応じて、第１の認証処理及び前記第１の認証処理と異なる第２の認証処理にいずれか一つを行い、前記第１の認証処理及び前記第２の認証処理のいずれか一つが行われたことにより前記給電装置と前記電子機器との認証が完了した場合、前記電子機器への無線給電を開始するように前記給電手段を制御する給電装置。【選択図】  図２
2014220875.tif 000002
【特許請求の範囲】
【請求項１】
給電装置であって、
電子機器に対して無線給電を行う給電手段と、
前記電子機器と通信を行う通信手段と、
前記電子機器が無線給電のアプリケーションを識別するためのデータを持っているか否かを確認するためのデータを前記電子機器に送信するように前記通信手段を制御する制御手段とを有し、
前記制御手段は、前記電子機器が無線給電のアプリケーションを識別するためのデータを持っているか否かに応じて、第１の認証処理及び前記第１の認証処理と異なる第２の認証処理にいずれか一つを行い、
前記第１の認証処理及び前記第２の認証処理のいずれか一つが行われたことにより前記給電装置と前記電子機器との認証が完了した場合、前記制御手段は、前記電子機器への無線給電を開始するように前記給電手段を制御することを特徴とする給電装置。
【請求項２】
前記第１の認証処理には、前記給電装置が対応している給電方法に前記電子機器が対応しているか否かを判定する処理が含まれ、
前記第２の認証処理には、前記給電装置が対応している給電方法に前記電子機器が対応しているか否かを判定する処理が含まれないことを特徴とする請求項１に記載の給電装置。
【請求項３】
前記第１の認証処理には、前記給電装置が対応している給電の制御プロトコルに前記電子機器が対応しているか否かを判定する処理が含まれ、
前記第２の認証処理には、前記給電装置が対応している給電の制御プロトコルに前記電子機器が対応しているか否かを判定する処理が含まれないことを特徴とする請求項１または２に記載の給電装置。
【請求項４】
前記制御手段は、前記電子機器が無線給電のアプリケーションを識別するためのデータを持っている場合、前記第１の認証処理を行わず前記第２の認証処理を行うことを特徴とする請求項１から３のいずれか１項に記載の給電装置。
【請求項５】
前記制御手段は、前記電子機器が無線給電のアプリケーションを識別するためのデータを持っていない場合、前記第２の認証処理を行わず前記第１の認証処理を行うことを特徴とする請求項１から４のいずれか１項に記載の給電装置。
【請求項６】
無線給電のアプリケーションを識別するためのデータは、ＮＦＣ（Ｎｅａｒ  Ｆｉｅｌｄ  Ｃｏｍｍｕｎｉｃａｔｉｏｎ）規格に規定されているＡＦＩ（Ａｐｐｌｉｃａｔｉｏｎ  Ｆａｍｉｌｙ  Ｉｄｅｎｔｉｆｉｅｒ）データであることを特徴とする請求項１から５のいずれか１項に記載の給電装置。
【請求項７】
前記第２の認証処理が行われている場合において、無線給電に関するエラーが検出されたとき、前記制御手段は、前記第１の認証処理を行うようにすることを特徴とする請求項１から６のいずれか１項に記載の給電装置。
【請求項８】
前記通信手段は、ＮＦＣ（Ｎｅａｒ  Ｆｉｅｌｄ  Ｃｏｍｍｕｎｉｃａｔｉｏｎ）規格に基づいて、前記電子機器と通信を行うことを特徴とする請求項１から７のいずれか１項に記載の給電装置。
【請求項９】
電子機器と通信を行うステップと、
前記電子機器が無線給電のアプリケーションを識別するためのデータを持っているか否かを確認するためのデータを前記電子機器に送信するステップと、
前記電子機器が無線給電のアプリケーションを識別するためのデータを持っているか否かに応じて、第１の認証処理及び前記第１の認証処理と異なる第２の認証処理にいずれか一つを行うステップと、
前記第１の認証処理及び前記第２の認証処理のいずれか一つが行われたことにより前記給電装置と前記電子機器との認証が完了した場合、前記電子機器への無線給電を開始するステップとを有する給電方法。
【請求項１０】
電子機器と通信を行うステップと、
前記電子機器が無線給電のアプリケーションを識別するためのデータを持っているか否かを確認するためのデータを前記電子機器に送信するステップと、
前記電子機器が無線給電のアプリケーションを識別するためのデータを持っているか否かに応じて、第１の認証処理及び前記第１の認証処理と異なる第２の認証処理にいずれか一つを行うステップと、
前記第１の認証処理及び前記第２の認証処理のいずれか一つが行われたことにより前記給電装置と前記電子機器との認証が完了した場合、前記電子機器への無線給電を開始するステップとをコンピュータに実行させるコンピュータプログラム。
【発明の詳細な説明】
【技術分野】
【０００１】
本発明は、無線給電を行う給電装置等に関する。
【背景技術】
【０００２】
近年、コネクタで接続することなく無線により電力を供給する給電装置と、給電装置から無線により供給される電力を受け取る電子機器とを含む給電システムが知られている。このような給電システムにおいて、給電装置から供給される電力を用いて、電池の充電を行う電子機器が知られている（特許文献１）。
【先行技術文献】
【特許文献】
【０００３】
【特許文献１】特開２０１０−３９２８３号公報
【発明の概要】
【発明が解決しようとする課題】
【０００４】
このような給電システムにおいて、給電装置と電子機器との間で通信を行い、給電装置が電子機器との通信結果を用いて、無線給電を制御することについて考えられていなかった。そのため、給電装置は、電子機器の機能や状態を正確に検出することができないので、電子機器への給電を適切に制御することができなかった。
【０００５】
そこで、本発明は、給電装置と電子機器との通信に応じて、電子機器への無線給電が適切に行われるようにすることを目的とする。
【課題を解決するための手段】
【０００６】
本発明に係る給電装置は、給電装置であって、電子機器に対して無線給電を行う給電手段と、前記電子機器と通信を行う通信手段と、前記電子機器が無線給電のアプリケーションを識別するためのデータを持っているか否かを確認するためのデータを前記電子機器に送信するように前記通信手段を制御する制御手段とを有し、前記制御手段は、前記電子機器が無線給電のアプリケーションを識別するためのデータを持っているか否かに応じて、第１の認証処理及び前記第１の認証処理と異なる第２の認証処理にいずれか一つを行い、前記第１の認証処理及び前記第２の認証処理のいずれか一つが行われたことにより前記給電装置と前記電子機器との認証が完了した場合、前記制御手段は、前記電子機器への無線給電を開始するように前記給電手段を制御することを特徴とする。
【０００７】
本発明に係る給電方法は、電子機器と通信を行うステップと、前記電子機器が無線給電のアプリケーションを識別するためのデータを持っているか否かを確認するためのデータを前記電子機器に送信するステップと、前記電子機器が無線給電のアプリケーションを識別するためのデータを持っているか否かに応じて、第１の認証処理及び前記第１の認証処理と異なる第２の認証処理にいずれか一つを行うステップと、前記第１の認証処理及び前記第２の認証処理のいずれか一つが行われたことにより前記給電装置と前記電子機器との認証が完了した場合、前記電子機器への無線給電を開始するステップとを有することを特徴とする。
【０００８】
本発明に係るコンピュータプログラムは、電子機器と通信を行うステップと、前記電子機器が無線給電のアプリケーションを識別するためのデータを持っているか否かを確認するためのデータを前記電子機器に送信するステップと、前記電子機器が無線給電のアプリケーションを識別するためのデータを持っているか否かに応じて、第１の認証処理及び前記第１の認証処理と異なる第２の認証処理にいずれか一つを行うステップと、前記第１の認証処理及び前記第２の認証処理のいずれか一つが行われたことにより前記給電装置と前記電子機器との認証が完了した場合、前記電子機器への無線給電を開始するステップとをコンピュータに実行させるコンピュータプログラムである。
【発明の効果】
【０００９】
本発明によれば、給電装置と電子機器との通信に応じて、電子機器への無線給電が適切に行われるようにすることができる。
【図面の簡単な説明】
【００１０】
【図１】本発明の実施例１に係る無線給電システムの一例を示す図である。
【図２】本発明の実施例１に係る給電装置の一例を示すブロック図である。
【図３】本発明の実施例１に係る電子機器の一例を示すブロック図である。
【図４】本発明の実施例１に係る電子機器のタグの種類を示す図である。
【図５】本発明の実施例１に係る給電装置の状態遷移図の一例である。
【図６】本発明の実施例１に係る給電装置によって行われる制御処理の一例を示すフローチャート図である。
【図７】本発明の実施例１に係る給電装置によって行われる認証処理の一例を示すフローチャート図である。
【図８】本発明の実施例１に係る給電装置によって行われるステータスデータ交換処理の一例を示すフローチャート図である。
【図９】本発明の実施例１に係る給電装置によって行われる給電処理の一例を示すフローチャート図である。
【図１０】本発明の実施例１に係る給電装置によって行われる第１の認証処理の一例を示すフローチャート図である。
【図１１】本発明の実施例１に係る給電装置によって行われる第２の認証処理の一例を示すフローチャート図である。
【発明を実施するための形態】
【００１１】
（実施例１）
以下、本発明の実施例１について、図面を参照して説明する。
【００１２】
図１に示すように、実施例１に係る給電システムは、給電装置１００と電子機器２００とを有する。実施例１における給電システムにおいて、給電装置１００における所定の範囲３００内に電子機器２００が存在する場合、給電装置１００は、電子機器２００に無線により給電を行う。また、電子機器２００が所定の範囲３００内に存在する場合、電子機器２００は、給電装置１００から出力される電力を無線により受け取ることができる。また、電子機器２００が所定の範囲３００内に存在しない場合、電子機器２００は、給電装置１００から電力を受け取ることができない。なお、所定の範囲３００とは、給電装置１００が電子機器２００と通信を行うことができる範囲であるものとする。所定の範囲３００を給電装置１００の筺体上の範囲としたが、これに限られないものとする。なお、給電装置１００は、複数の電子機器に対して無線により給電を行うものであってもよいものとする。
【００１３】
電子機器２００は、撮像装置や再生装置であってもよく、携帯電話やスマートフォンのような通信装置であってもよいものとする。また、電子機器２００は、電池を含む電池パックであってもよい。また、電子機器２００は、自動車やディスプレイであってもよく、パーソナルコンピュータであってもよい。
【００１４】
次に、図２を参照して、実施例１に係る給電装置１００の構成の一例について説明を行う。給電装置１００は、図２に示すように、制御部１０１、給電部１０２、メモリ１０８、表示部１０９、操作部１１０、電流検出部１１１、温度検出部１１２及び第２の通信部１１３を有する。給電部１０２には、電力生成部１０３、検出部１０４、整合回路１０５、第１の通信部１０６及び給電アンテナ１０７が含まれる。
【００１５】
制御部１０１は、メモリ１０８に記録されているコンピュータプログラムを実行することによって、給電装置１００を制御する。制御部１０１は、例えば、ＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）を含む。なお、制御部１０１は、ハードウェアにより構成されるものとする。また、制御部１０１は、タイマー１０１ａを有する。
【００１６】
給電部１０２は、所定の給電方法に基づいて、無線給電を行うために用いられる。所定の給電方法は、例えば、磁界共鳴方式を用いた給電方法である。磁界共鳴方式とは、給電装置１００と電子機器２００との間で共振が行われる状態において、給電装置１００から電子機器２００に電力を伝送するものである。給電装置１００と電子機器２００との間で共振が行われる状態とは、給電装置１００の給電アンテナ１０７の共振周波数と、電子機器２００の受電アンテナ２０３の共振周波数とが一致している状態である。
【００１７】
電力生成部１０３は、不図示のＡＣ電源と給電装置１００とが接続されている場合、不図示のＡＣ電源から供給される電力を用いて、給電アンテナ１０７を介して外部に出力するための電力を生成する。
【００１８】
電力生成部１０３によって生成される電力には、通信電力と、所定の電力とがある。通信電力は、第１の通信部１０６が電子機器２００と通信を行うために用いられる。通信電力は、例えば、１Ｗ以下の微弱な電力であるものとする。なお、通信電力は、第１の通信部１０６の通信規格に規定されている電力であってもよい。所定の電力は、電子機器２００が充電や特定の動作を行うために用いられる。所定の電力は、例えば、２Ｗ以上の電力であるものとする。また、所定の電力は、通信電力よりも大きい電力であれば、２Ｗ以上の電力に限られないものとする。所定の電力の値は、電子機器２００から取得したデータに基づいて、制御部１０１によって設定される。
【００１９】
電力生成部１０３によって生成される電力は、検出部１０４及び整合回路１０５を介して給電アンテナ１０７に供給される。
【００２０】
検出部１０４は、給電装置１００と電子機器２００との共振の状態を検出するために、電圧定在波比ＶＳＷＲ（Ｖｏｌｔａｇｅ  Ｓｔａｎｄｉｎｇ  Ｗａｖｅ  Ｒａｔｉｏ）を検出する。さらに、検出部１０４は、検出したＶＳＷＲを示すデータを制御部１０１に供給する。ＶＳＷＲは、給電アンテナ１０７から出力される電力の進行波と、給電アンテナ１０７から出力される電力の反射波との関係を示す値である。制御部１０１は、検出部１０４から供給されたＶＳＷＲのデータを用いて、給電装置１００と電子機器２００との共振の状態の変化や異物の存在を検出することができる。異物とは、例えば、金属やＩＣカード等である。なお、異物は、電池の充電を制御するための充電制御手段を有していない機器や、給電装置１００と通信を行うための通信手段を有していない機器であってもよい。また、異物は、第１の通信部１０６の通信規格に対応していない機器であってもよい。
【００２１】
整合回路１０５は、給電アンテナ１０７の共振周波数を設定する回路と、電力生成部１０３と給電アンテナ１０７との間のインピーダンスマッチングを行うための回路とを含む。
【００２２】
給電装置１００が給電アンテナ１０７を介して通信電力及び所定の電力のいずれか一つを出力する場合、制御部１０１は、給電アンテナ１０７の共振周波数を所定の周波数ｆに設定するように整合回路１０５を制御する。所定の周波数ｆは、例えば、１３．５６ＭＨｚである。
【００２３】
第１の通信部１０６は、例えば、ＮＦＣ（Ｎｅａｒ  Ｆｉｅｌｄ  Ｃｏｍｍｕｎｉｃａｔｉｏｎ）フォーラムによって規定されているＮＦＣ規格に基づいて、無線通信を行う。また、第１の通信部１０６の通信規格は、ＩＳＯ／ＩＥＣ  １８０９２規格であってもよく、ＩＳＯ／ＩＥＣ  １４４４３規格であってもよく、ＩＳＯ／ＩＥＣ  ２１４８１規格であってもよい。第１の通信部１０６は、通信電力が給電アンテナ１０７から出力されている場合、給電アンテナ１０７を介して電子機器２００と無線給電を行うためのデータの送受信を行うことができる。しかし、所定の電力が給電アンテナ１０７から出力されている期間において、第１の通信部１０６は、給電アンテナ１０７を介して電子機器２００と通信を行わないものとする。所定の電力が給電アンテナ１０７から出力されている期間を以下「所定の時間」と呼ぶ。所定の時間は、電子機器２００から取得したデータに基づいて、制御部１０１によって設定される。
【００２４】
第１の通信部１０６と電子機器２００との間で送受信されるデータは、例えば、ＮＤＥＦ（ＮＦＣ  Ｄａｔａ  Ｅｘｃｈａｎｇｅ  Ｆｏｒｍａｔ）に対応するデータである。
【００２５】
第１の通信部１０６は、電子機器２００にデータを送信する場合、電力生成部１０３から供給される通信電力に電子機器２００に送信するデータを重畳する処理を行う。データが重畳された通信電力は、給電アンテナ１０７を介して電子機器２００に送信される。
【００２６】
第１の通信部１０６が、電子機器２００からデータを受信する場合、給電アンテナ１０７に流れる電流を検出し、この電流の検出結果に応じて、電子機器２００からデータを受信する。これは、電子機器２００が給電装置１００にデータを送信する場合に、電子機器２００の内部の負荷を変動させることによって、データの送信を行うからである。電子機器２００の内部の負荷が変化した場合、給電アンテナ１０７に流れる電流が変化する。このため、第１の通信部１０６は、給電アンテナ１０７に流れる電流を検出することで、電子機器２００からデータを受信することができる。
【００２７】
なお、第１の通信部１０６は、ＮＦＣ規格に規定されているリーダライタとして動作するものとする。
【００２８】
給電アンテナ１０７は、通信電力及び所定の電力のいずれか一つを電子機器２００に出力するためのアンテナである。また、給電アンテナ１０７は、第１の通信部１０６がＮＦＣ規格を用いた無線通信を電子機器２００と行うために用いられる。
【００２９】
メモリ１０８は、給電装置１００を制御するためのコンピュータプログラムを記録する。さらに、メモリ１０８は、給電装置１００に関する給電パラメータや給電を制御するためのフラグ等を記録する。また、メモリ１０８は、電子機器２００から第１の通信部１０６及び第２の通信部１１３の少なくとも一つが取得したデータを記録する。
【００３０】
表示部１０９は、メモリ１０８及び第２の通信部１１３から供給される映像データを表示する。
【００３１】
操作部１１０は、給電装置１００を操作するためのユーザインターフェースを提供する。操作部１１０は、給電装置１００を操作するためのボタン、スイッチやタッチパネル等を有する。制御部１０１は、操作部１１０を介して入力された入力信号に従って給電装置１００を制御する。
【００３２】
電流検出部１１１は、給電アンテナ１０７に流れる電流を検出し、検出した電流を示すデータを制御部１０１に供給する。制御部１０１は、電流検出部１１１から供給された電流のデータを用いて、異物の存在を検出することができる。
【００３３】
温度検出部１１２は、給電装置１００の温度を検出し、検出した温度を示すデータを制御部１０１に供給する。制御部１０１は、温度検出部１１２から供給された温度のデータを用いて、異物の存在を検出することができる。なお、温度検出部１１２によって検出される給電装置１００の温度は、給電装置１００内部の温度であってもよく、給電装置１００の表面の温度であってもよい。
【００３４】
第２の通信部１１３は、第１の通信部１０６の通信規格と異なる通信規格に基づいて、電子機器２００と無線通信を行う。第２の通信部１１３の通信規格は、例えば、無線ＬＡＮ（Ｗｉｒｅｌｅｓｓ  Ｌｏｃａｌ  Ａｒｅａ  Ｎｅｔｗｏｒｋ）規格やＢｌｕｅ  Ｔｏｏｔｈ（登録商標）規格である。第２の通信部１１３は、給電装置１００と電子機器２００との間で映像データ、音声データ及びコマンドの少なくとも一つを含むデータを送信したり受信することができる。
【００３５】
給電装置１００は、無線により電力を電子機器２００に供給するようにした。しかし、「無線」を「非接触」や「無接点」と言い換えてもよいものとする。
【００３６】
次に、図３を参照して、電子機器２００の構成の一例について説明を行う。電子機器２００は、制御部２０１、受電部２０２、電力検出部２０７、レギュレータ２０８、負荷部２０９、充電部２１０、電池２１１、温度検出部２１２、メモリ２１３、操作部２１４及び第２の通信部２１５を有する。受電部２０２には、受電アンテナ２０３、整合回路２０４、整流平滑回路２０５、及び第１の通信部２０６が含まれる。
【００３７】
制御部２０１は、メモリ２１３に記録されているコンピュータプログラムを実行することによって、電子機器２００を制御する。制御部２０１は、例えば、ＣＰＵやＭＰＵを含む。なお、制御部２０１は、ハードウェアにより構成されるものとする。
【００３８】
受電部２０２は、所定の給電方法に対応し、給電装置１００から電力を無線により受け取るために用いられる。
【００３９】
受電アンテナ２０３は、給電装置１００から供給される電力を受け取るためのアンテナである。また、受電アンテナ２０３は、第１の通信部２０６がＮＦＣ規格を用いた無線通信を給電装置１００と行うために用いられる。受電アンテナ２０３を介して給電装置１００から電子機器２００が受け取った電力は、整合回路２０４を介して整流平滑回路２０５に供給される。
【００４０】
整合回路２０４は、受電アンテナ２０３の共振周波数を設定する回路を含む。制御部２０１は、整合回路２０４を制御することによって受電アンテナ２０３の共振周波数を設定することができる。
【００４１】
整流平滑回路２０５は、受電アンテナ２０３によって受電された電力から直流電力を生成する。さらに、整流平滑回路２０５は、生成した直流電力を電力検出部２０７を介してレギュレータ２０８に供給する。また、整流平滑回路２０５は、受電アンテナ２０３によって受電された電力にデータが重畳されている場合、受電アンテナ２０３によって受電された電力から取り除かれたデータを第１の通信部２０６に供給する。
【００４２】
第１の通信部２０６は、第１の通信部１０６と同一の通信規格に基づいて、給電装置１００と通信を行う。第１の通信部２０６は、メモリ２０６ａを有する。メモリ２０６ａには、ＷＰＴ（Ｗｉｒｅｌｅｓｓ  Ｐｏｗｅｒ  Ｔｒａｎｓｆｅｒ）＿ＲＴＤ（Ｒｅｃｏｒｄ  Ｔｙｐｅ  Ｄｅｆｉｎｉｔｏｎ）データ４００が記録されている。ＷＰＴ＿ＲＴＤデータ４００には、ＮＤＥＦに対応するデータが複数格納されている。ＷＰＴ＿ＲＴＤデータ４００には、給電装置１００と電子機器２００との間で無線給電を行うために必要なデータが格納される。
【００４３】
ＷＰＴ＿ＲＴＤデータ４００には、ＷＰＴ＿ＲＴＤデータ４００を識別するための識別データが格納されている。識別データには、レコードタイプ名、電子機器２００が対応している給電方法や給電の制御プロトコルを示すデータや電子機器２００の製品名やＩＤ、電子機器２００の受電能力データ、電子機器２００が持っているタグの種類を示すデータ等が含まれる。レコードタイプ名とは、ＷＰＴ＿ＲＴＤデータ４００に格納されているデータの内容や構造を識別するためのレコードタイプ（ｒｅｃｏｒｄ  ｔｙｐｅ）を示すデータである。受電能力データは、電子機器２００の受電能力を示すデータであり、例えば、電子機器２００の受電可能な電力の最大値を示す。
【００４４】
ＷＰＴ＿ＲＴＤデータ４００には、さらに受電ステータスデータや給電ステータスデータが格納されていてもよい。受電ステータスデータには、電子機器２００の状態を示すデータが含まれる。例えば、受電ステータスデータには、給電装置１００に要求する要求電力の値、電子機器２００が給電装置１００から受け取った電力の値、電池２１１の残容量や電池２１１の充電に関するデータ、電子機器２００のエラーに関するエラーデータ等が含まれる。エラーデータには、電子機器２００にエラーが発生しているか否かを示すデータと、エラーの種類を示すデータとが含まれる。給電ステータスデータには、給電装置１００の状態を示すデータが含まれる。例えば、給電ステータスデータには、給電装置１００の識別データ、給電装置１００が電子機器２００への所定の電力の伝送を開始するか否かを示すデータ、給電装置１００で設定された給電パラメータ等が含まれる。
【００４５】
第１の通信部２０６は、整流平滑回路２０５から供給されたデータを解析する。その後、第１の通信部２０６は、データの解析結果を用いて、ＷＰＴ＿ＲＴＤデータ４００から読み出したデータを給電装置１００に送信したり、給電装置１００から受信したデータをＷＰＴ＿ＲＴＤデータ４００に書き込んだりする。さらに、第１の通信部２０６は、整流平滑回路２０５から供給されたデータに対応する応答データを給電装置１００に送信する。
【００４６】
第１の通信部２０６は、ＷＰＴ＿ＲＴＤデータ４００から読み出したデータや応答データを給電装置１００に送信するために、第１の通信部２０６内部の負荷を変動させる処理を行う。
【００４７】
電子機器２００は、ＮＦＣ規格に規定されているタグに対応するものとする。電子機器２００の対応可能なタグの種類として、第１のタグと、第２のタグとがある。以下、第１のタグ及び第２のタグにについて、図４を用いて説明を行う。図４（ａ）に第１のタグを示し、図４（ｂ）に第２のタグを示す。
【００４８】
図４（ａ）を参照し、第１のタグについて説明を行う。図４（ａ）のＷＰＴ＿ＲＴＤデータ４００には、電子機器２００が第１のタグを持っていることを示すデータを含む識別データが格納されている。電子機器２００が第１のタグを持っている場合、制御部２０１は、不図示の内部バスインターフェースを介してＷＰＴ＿ＲＴＤデータ４００に格納されているデータを読み出すことができる。さらに、電子機器２００が第１のタグを持っている場合、制御部２０１は、不図示の内部バスインターフェースを介してＷＰＴ＿ＲＴＤデータ４００にデータを書き込むことができる。
【００４９】
電子機器２００が第１のタグを持っている場合、例えば、制御部２０１は、ＷＰＴ＿ＲＴＤデータ４００から読み出された給電ステータスデータを用いて、電子機器２００の各部を制御することができる。電子機器２００が第１のタグを持っている場合、例えば、制御部２０１は、電子機器２００の各部から供給されるデータを用いて受電ステータスデータを定期的に検出し、検出した受電ステータスデータをＷＰＴ＿ＲＴＤデータ４００に書き込むことができる。なお、第１のタグは、「アクティブタグ」や「ダイナミックタグ」と言い換えても良いものとする。図４（ａ）のように、電子機器２００が第１のタグを持っている場合におけるＷＰＴ＿ＲＴＤデータ４００には、識別データ、受電ステータスデータ及び給電ステータスデータが格納される。
【００５０】
図４（ｂ）を参照し、第２のタグについて説明を行う。図４（ｂ）のＷＰＴ＿ＲＴＤデータ４００には、電子機器２００が第２のタグを持っていることを示すデータを含む識別データが格納されている。電子機器２００が第２のタグを持っている場合、制御部２０１は、ＷＰＴ＿ＲＴＤデータ４００に格納されているデータを読み出すことができず、ＷＰＴ＿ＲＴＤデータ４００にデータを書き込むこともできない。この場合、例えば、制御部２０１は、ＷＰＴ＿ＲＴＤデータ４００に格納されている給電ステータスデータを用いて、電子機器２００を制御することができず、受電ステータスデータをＷＰＴ＿ＲＴＤデータ４００に書き込んだり、追記することもできない。図４（ｂ）のように、電子機器２００が第２のタグを持っている場合におけるＷＰＴ＿ＲＴＤデータ４００には、識別データは格納されているが、受電ステータスデータは格納されないものとする。また、電子機器２００が第２のタグを持っている場合におけるＷＰＴ＿ＲＴＤデータ４００には、給電ステータスデータが格納されていてもよい。
【００５１】
なお、電子機器２００が第１のタグ及び第２のタグの少なくとも一つを持っている場合、給電装置１００は、第１の通信部１０６を用いて、ＷＰＴ＿ＲＴＤデータ４００に格納されているデータを読み出すことができる。さらに、この場合、給電装置１００は、第１の通信部１０６を用いて、データをＷＰＴ＿ＲＴＤデータ４００に書き込むこともできる。
【００５２】
なお、実施例１において、電子機器２００は、第１のタグを持っているものとして、電子機器２００の構成の説明を行う。
【００５３】
電力検出部２０７は、受電アンテナ２０３を介して受け取った電力を検出し、検出した電力を示すデータを制御部２０１に供給する。
【００５４】
レギュレータ２０８は、制御部２０１からの指示に応じて、整流平滑回路２０５から供給される電力及び電池２１１から供給される電力の少なくとも一つを電子機器２００の各部に供給する。
【００５５】
負荷部２０９は、被写体の光学像から静止画や動画等の映像データの生成を行う撮像手段や映像データの再生を行う再生手段等を有する。
【００５６】
充電部２１０は、電池２１１を充電する。充電部２１０は、制御部２０１からの指示に応じて、レギュレータ２０８から供給される電力を用いて電池２１１を充電するか、電池２１１から放電される電力をレギュレータ２０８に供給するかを制御する。充電部２１０は、定期的に電池２１１の残容量を検出し、電池２１１の残容量を示すデータや電池２１１の充電に関するデータを制御部２０１に供給する。
【００５７】
電池２１１は、電子機器２００に接続可能な電池である。また、電池２１１は、充電可能な二次電池であり、例えば、リチウムイオン電池等である。なお、電池２１１は、リチウムイオン電池以外のものであっても良いものとする。
【００５８】
温度検出部２１２は、電子機器２００の温度を検出し、検出した温度を示すデータを制御部２０１に供給する。
【００５９】
メモリ２１３は、電子機器２００を制御するコンピュータプログラム及電子機器２００に関するパラメータ等のデータを記憶する。さらに、メモリ２１３には、ＷＰＴ＿ＡＦＩデータ５００が記録されているものとする。ＷＰＴ＿ＡＦＩデータ５００とは、ＮＦＣ規格のＴｙｐｅ  Ｂに規定されている「Ａｐｐｌｉｃａｔｉｏｎ  Ｆａｍｉｌｙ  Ｉｄｅｎｔｉｆｉｅｒ」に対応するデータであって、無線給電のアプリケーションを識別するためのデータである。なお、ＷＰＴ＿ＡＦＩデータ５００は、電子機器２００が対応している給電方法や電子機器２００が対応している給電の制御プロトコルを検出するために用いられる。
【００６０】
操作部２１４は、電子機器２００を操作するためのユーザインターフェースを提供する。制御部２０１は、操作部２１４を介して入力された入力信号に従って電子機器２００を制御する。
【００６１】
第２の通信部２１５は、給電装置１００と無線通信を行う。なお、第２の通信部２１５は、例えば、第２の通信部１１３と同一の通信規格に基づいて、給電装置１００と無線通信を行う。
【００６２】
（給電装置１００の状態遷移図）
実施例１における給電装置１００の状態の遷移について、図５を用いて説明する。図５において、状態５００は、不図示のＡＣ電源と給電装置１００とが接続されている状態で、かつ、給電装置１００のＮＦＣ機能が無効である状態である。給電装置１００が状態５００の場合に、操作部１１０を用いて給電装置１００のＮＦＣ機能が有効にされたとき、給電装置１００は、状態５０１に遷移する。
【００６３】
状態５０１において、給電装置１００は、電子機器２００がＷＰＴ＿ＡＦＩデータ５００を持っているか否かを検出するための問い合わせを行う。給電装置１００が状態５０１である場合に、給電装置１００のＮＦＣ機能が無効にされたとき、給電装置１００は、状態５００に遷移する。給電装置１００が状態５０１である場合に、電子機器２００がＷＰＴ＿ＡＦＩデータ５００を持っていることを示す応答データを給電装置１００が受信したとき、給電装置１００は、状態５０６に遷移する。給電装置１００が状態５０１である場合に、電子機器２００がＷＰＴ＿ＡＦＩデータ５００を持っていることを示す応答データを給電装置１００が受信していないとき、給電装置１００は、状態５０２に遷移する。
【００６４】
状態５０２において、給電装置１００は、ＷＰＴ＿ＲＴＤデータ４００を検出する処理を行う。給電装置１００が状態５０２である場合に、給電装置１００がＷＰＴ＿ＲＴＤデータ４００を検出したとき、給電装置１００は、状態５０３に遷移する。給電装置１００がＷＰＴ＿ＲＴＤデータ４００を検出していない場合、給電装置１００は、ＷＰＴ＿ＲＴＤデータ４００を検出するまでは、状態５０２を維持する。
【００６５】
状態５０３において、給電装置１００は、検出したＷＰＴ＿ＲＴＤデータ４００を用いて第１の認証処理を行う。給電装置１００が状態５０２である場合において、第１の認証処理が行われた後に、給電装置１００と電子機器２００との無線給電の認証が成功したとき、給電装置１００は、状態５０４に遷移する。給電装置１００が状態５０３である場合において、無線給電に関するエラーが発生したとき、給電装置１００は、状態５０２に遷移する。無線給電に関するエラーとは、例えば、給電装置１００と電子機器２００との通信に関する通信エラー、異物に関するエラー、電子機器２００に関するエラー、給電装置１００と電子機器２００との無線給電の認証に関する認証エラー等である。
【００６６】
状態５０４において、給電装置１００は、無線給電を行うために必要なステータスデータを電子機器２００と交換する処理を行う。給電装置１００が状態５０４である場合、給電装置１００は、電子機器２００から受電ステータスデータを受信し、電子機器２００に給電ステータスデータを送信する。給電装置１００が状態５０４である場合に、ステータスデータの交換が完了したとき、給電装置１００は、状態５０５に遷移する。給電装置１００が状態５０４である場合に、無線給電に関するエラーが発生した場合、給電装置１００は、状態５０２に遷移する。給電装置１００が状態５０４である場合に、電子機器２００の充電が完了したことが検出された場合、給電装置１００は、状態５０２に遷移する。
【００６７】
状態５０５において、給電装置１００は、所定の電力を電子機器２００に供給するための給電処理を行う。給電装置１００が状態５０５である場合に、無線給電に関するエラーが発生したとき、給電装置１００は、状態５０４に遷移する。給電装置１００が状態５０５である場合に、所定の電力の出力が開始されてから所定の時間が経過した後、給電装置１００は、状態５０４に遷移する。
【００６８】
状態５０６において、給電装置１００は、ＷＰＴ＿ＲＴＤデータ４００を用いて第２の認証処理を行う。給電装置１００が状態５０６である場合に、第２の認証処理が行われた後、給電装置１００と電子機器２００との無線給電の認証が成功したとき、給電装置１００は、状態５０４に遷移する。給電装置１００が状態５０４である場合に、無線給電に関するエラーが発生した場合、給電装置１００は、状態５０２に遷移する。
【００６９】
（制御処理）
次に、実施例１において、給電装置１００の無線給電を制御するための制御処理について、図６のフローチャートを用いて説明する。制御処理は、制御部１０１がメモリ１０８に格納されているコンピュータプログラムを実行することにより実現することができる。
【００７０】
Ｓ６０１において、制御部１０１は、給電装置１００のＮＦＣ機能が有効であるか否かを検出する。給電装置１００のＮＦＣ機能が有効であることが検出された後（Ｓ６０１でＹｅｓ）、本フローチャートは、Ｓ６０２に進む。給電装置１００のＮＦＣ機能が有効でないことが検出された後（Ｓ６０１でＮｏ）、本フローチャートは終了する。
【００７１】
Ｓ６０２において、制御部１０１は、後述の認証処理を行う。認証処理が行われた後、本フローチャートは、Ｓ６０３に進む。
【００７２】
Ｓ６０３において、制御部１０１は、給電装置１００と電子機器２００との無線給電の認証が成功したか否かを判定する。Ｓ６０２で認証処理が行われた場合、メモリ１０８に認証成功フラグ及び認証失敗フラグのいずれか一つが設定される。メモリ１０８に認証成功フラグが設定されている場合、制御部１０１は、無線給電の認証が成功したと判定し（Ｓ６０３でＹｅｓ）、本フローチャートはＳ６０４に進む。メモリ１０８に認証失敗フラグが設定されている場合、制御部１０１は、無線給電の認証が失敗したと判定し（Ｓ６０３でＮｏ）、本フローチャートはＳ６０７に進む。
【００７３】
Ｓ６０４において、制御部１０１は、後述のステータスデータ交換処理を行う。ステータスデータ交換処理が行われた後、本フローチャートは、Ｓ６０５に進む。
【００７４】
Ｓ６０５において、制御部１０１は、給電装置１００が電子機器２００への給電を行うことができるか否かを判定する。Ｓ６０４でステータスデータ交換処理が行われた場合、メモリ１０８に給電可能フラグ及び給電不可フラグのいずれか一つが設定される。メモリ１０８に給電可能フラグが設定されている場合、制御部１０１は、給電装置１００が電子機器２００への給電を行うことができると判定し（Ｓ６０５でＹｅｓ）、本フローチャートはＳ６０６に進む。メモリ１０８に給電不可フラグが設定されている場合、制御部１０１は、給電装置１００が電子機器２００への給電を行うことができないと判定し（Ｓ６０５でＮｏ）、本フローチャートはＳ６０７に進む。
【００７５】
Ｓ６０６において、制御部１０１は、後述の給電処理を行う。給電処理が行われた後、本フローチャートは、Ｓ６０４に戻る。
【００７６】
Ｓ６０７において、制御部１０１は、メモリ１０８に格納されている給電パラメータや給電の制御に関するフラグ等を消去する。この後、本フローチャートは、Ｓ６０１に戻る。
【００７７】
（認証処理）
次に、実施例１において、図６のＳ６０２において、制御部１０１によって行われる認証処理について、図７のフローチャートを用いて説明する。認証処理は、制御部１０１がメモリ１０８に格納されているコンピュータプログラムを実行することにより実現することができる。
【００７８】
制御部１０１は、給電アンテナ１０７の共振周波数を所定の周波数ｆに設定するように整合回路１０５を制御し、Ｓ７０１の処理を行う。
【００７９】
Ｓ７０１において、制御部１０１は、通信電力を出力するように給電部１０２を制御する。なお、制御部１０１は、所定の電力を出力する処理を開始するまで、通信電力が給電アンテナ１０７を介して出力されるようにする。この後、本フローチャートは、Ｓ７０２に進む。
【００８０】
給電装置１００と電子機器２００との認証が成功したか否かを判定するためには、電子機器２００が給電装置１００に対応しているか否かを判定する処理を少なくとも行う必要がある。電子機器２００が給電装置１００に対応しているか否かを判定する処理として、第１の処理と第２の処理とがある。第１の処理とは、電子機器２００がＷＰＴ＿ＡＦＩデータ５００を持っているか否かに応じて電子機器２００が給電装置１００に対応しているか否かを判定する処理である。第２の処理とは、ＷＰＴ＿ＲＴＤデータ４００に格納されている電子機器２００の識別データを解析することによって電子機器２００が給電装置１００に対応しているか否かを判定する処理である。なお、第１の処理及び第２の処理については後述する。第１の処理は、第２の処理よりも容易に、電子機器２００が給電装置１００に対応しているか否かを判定することができる。
【００８１】
そこで、Ｓ７０２において、制御部１０１は、ＷＰＴ＿ＡＦＩデータ５００を電子機器２００が持っているか否かを問い合わせるための問合せデータを送信するように第１の通信部１０６を制御する。この後、本フローチャートは、Ｓ７０３に進む。
【００８２】
第１の通信部２０６が問合せデータを給電装置１００から受信した場合、制御部２０１は、メモリ２１３にＷＰＴ＿ＡＦＩデータ５００が格納されているか否かを判定する。メモリ２１３にＷＰＴ＿ＡＦＩデータ５００が格納されている場合、制御部２０１は、電子機器２００がＷＰＴ＿ＡＦＩデータ５００を持っていることを示す応答データを給電装置１００に送信するように第１の通信部２０６を制御する。メモリ２１３にＷＰＴ＿ＡＦＩデータ５００が格納されていない場合、制御部２０１は、問合せデータへの応答データを給電装置１００に送信しないように第１の通信部２０６を制御する。また、メモリ２１３にＷＰＴ＿ＡＦＩデータ５００が格納されていない場合、制御部２０１は、電子機器２００がＷＰＴ＿ＡＦＩデータ５００を持っていないことを示す応答データを給電装置１００に送信するように第１の通信部２０６を制御してもよい。
【００８３】
そこで、Ｓ７０３において、制御部１０１は、電子機器２００がＷＰＴ＿ＡＦＩデータ５００を持っていることを示す応答データを第１の通信部１０６が受信したか否かを判定する。電子機器２００がＷＰＴ＿ＡＦＩデータ５００を持っていることを示す応答データを第１の通信部１０６が受信したと判定された後（Ｓ７０３でＹｅｓ）、本フローチャートは、Ｓ７０５に進む。問合せデータへの応答データを第１の通信部１０６が受信していないと判定された後（Ｓ７０３でＮｏ）、本フローチャートは、Ｓ７０４に進む。また、電子機器２００がＷＰＴ＿ＡＦＩデータ５００を持っていないことを示す応答データを第１の通信部１０６が受信した後（Ｓ７０３でＮｏ）、本フローチャートは、Ｓ７０４に進む。
【００８４】
Ｓ７０４において、制御部１０１は、後述の第１の認証処理を行う。第１の認証処理が行われた場合、本フローチャートは、図６のＳ６０３に進む。なお、第１の認証処理が行われた後、メモリ１０８に認証成功フラグ及び認証失敗フラグのいずれか一つが設定される。
【００８５】
Ｓ７０５において、制御部１０１は、第１の通信部１０６によって受信された電子機器２００がＷＰＴ＿ＡＦＩデータ５００を持っていることを示すデータにより電子機器２００が給電装置１００に対応していると判定する。
【００８６】
電子機器２００がＷＰＴ＿ＡＦＩデータ５００を持っている場合、制御部１０１は、給電装置１００が対応している給電方法と電子機器２００が対応している給電方法とが一致していると判定し、電子機器２００が給電装置１００に対応していると判定する。
【００８７】
また、電子機器２００がＷＰＴ＿ＡＦＩデータ５００を持っている場合、制御部１０１は、給電装置１００が対応している給電の制御プロトコルと電子機器２００が対応している給電の制御プロトコルとが一致していると判定する。この場合、制御部１０１は、電子機器２００が給電装置１００に対応していると判定する。
【００８８】
電子機器２００が給電装置１００に対応していると判定された後、本フローチャートは、Ｓ７０６に進む。
【００８９】
Ｓ７０６において、制御部１０１は、後述の第２の認証処理を行う。第２の認証処理が行われた場合、本フローチャートは、図６のＳ６０３に進む。なお、第２の認証処理が行われた後、メモリ１０８に認証成功フラグ及び認証失敗フラグのいずれか一つが設定される。
【００９０】
なお、図７のＳ７０２、Ｓ７０３及びＳ７０５が第１の処理に対応する処理である。
【００９１】
（ステータスデータ交換処理）
次に、実施例１において、図６のＳ６０４において、制御部１０１によって行われるステータスデータ交換処理について、図８のフローチャートを用いて説明する。ステータスデータ交換処理は、制御部１０１がメモリ１０８に格納されているコンピュータプログラムを実行することにより実現することができる。
【００９２】
Ｓ８０１において、制御部１０１は、受電ステータスデータを要求するデータを送信するように第１の通信部１０６を制御する。この場合、本フローチャートは、Ｓ８０２に進む。
【００９３】
Ｓ８０２において、制御部１０１は、電子機器２００に受電ステータスデータの要求が行われてから一定の時間が経過するまでの間に、第１の通信部１０６が電子機器２００から受電ステータスデータを受信したか否かを判定する。第１の通信部１０６が電子機器２００から受電ステータスデータを受信したと判定された後（Ｓ８０２でＹｅｓ）、本フローチャートは、Ｓ８０５に進む。受電ステータスデータの要求が行われてから一定の時間が経過した場合であっても、第１の通信部１０６が電子機器２００から受電ステータスデータを受信していないと判定された後（Ｓ８０２でＮｏ）、本フローチャートは、Ｓ８０３に進む。
【００９４】
Ｓ８０３において、制御部１０１は、通信のエラーが検出されたことを示すデータを表示部１０９に表示させる。この場合、本フローチャートは、Ｓ８０４に進む。
【００９５】
Ｓ８０４において、制御部１０１は、メモリ１０８に給電不可フラグを設定する。この場合、本フローチャートは終了し、図６のＳ６０５に進む。
【００９６】
Ｓ８０５において、制御部１０１は、第１の通信部１０６が受信した受電ステータスデータを用いて、電子機器２００の充電が完了したか否かを判定する。電子機器２００の充電が完了したと判定された後（Ｓ８０５でＹｅｓ）、本フローチャートは、Ｓ８０６に進む。電子機器２００の充電が完了していないと判定された後（Ｓ８０５でＮｏ）、本フローチャートは、Ｓ８０７に進む。
【００９７】
Ｓ８０６において、制御部１０１は、電子機器２００の充電が完了したことを示すデータを表示部１０９に表示させる。また、制御部１０１は、電池２１１が満充電であることを示すデータを表示部１０９に表示させてもよい。この場合、本フローチャートは、Ｓ８０４に進む。
【００９８】
Ｓ８０７において、制御部１０１は、第１の通信部１０６が受信した受電ステータスデータを用いて、電子機器２００にエラーが発生しているか否かを判定する。例えば、制御部１０１は、電子機器２００の受電ステータスデータからエラーデータを取得し、エラーデータを解析することで、電子機器２００にエラーが発生しているか否かを判定する。
【００９９】
電子機器２００にエラーが発生していると判定された後（Ｓ８０７でＹｅｓ）、本フローチャートは、Ｓ８０８に進む。電子機器２００にエラーが発生していないと判定された後（Ｓ８０７でＮｏ）、本フローチャートは、Ｓ８０９に進む。
【０１００】
Ｓ８０８において、制御部１０１は、電子機器２００にエラーが発生したことを示すデータを表示部１０９に表示させる。さらに、制御部１０１は、電子機器２００に発生したエラーの種類を示すデータを表示部１０９に表示させてもよい。
【０１０１】
この場合、本フローチャートは、Ｓ８０４に進む。
【０１０２】
所定の範囲３００内に異物が置かれた場合、検出部１０４で検出されるＶＳＷＲが急激に変化する場合がある。そこで、給電装置１００は、所定の範囲３００内に異物が存在しているか否かを判定するために、Ｓ８０９の処理を行う。
【０１０３】
Ｓ８０９において、制御部１０１は、検出部１０４で検出されるＶＳＷＲが所定値以上変化したか否かを検出する。所定値は、異物の存在を識別するための閾値である。検出部１０４で検出されるＶＳＷＲが所定値以上変化した場合（Ｓ８０９でＹｅｓ）、本フローチャートは、Ｓ８１０に進む。検出部１０４で検出されるＶＳＷＲが所定値以上変化していない場合（Ｓ８０９でＮｏ）、本フローチャートは、Ｓ８１２に進む。
【０１０４】
Ｓ８１０において、制御部１０１は、異物を検出したことを電子機器２００に通知するデータを送信するように第１の通信部１０６を制御する。この場合、本フローチャートは、Ｓ８１１に進む。
【０１０５】
Ｓ８１１において、制御部１０１は、異物が検出されたことを通知するためのデータを表示部１０９に表示させる。この場合、本フローチャートは、Ｓ８０４に進む。
【０１０６】
Ｓ８１２において、制御部１０１は、第１の通信部１０６が受信した受電ステータスデータを用いて、給電パラメータを設定する。給電パラメータとは、所定の電力の値及び所定の時間である。例えば、制御部１０１は、電子機器２００から要求されている電力と、給電装置１００から電子機器２００への給電効率に基づいて、所定の電力の値及び所定の時間を設定する。給電装置１００から電子機器２００への給電効率とは、給電装置１００が出力する電力に対して電子機器２００が受け取る電力の割合を示す。また、例えば、制御部１０１は、電池２１１の残容量に基づいて、所定の電力の値及び所定の時間を設定してもよい。制御部１０１は、設定した給電パラメータをメモリ１０８に格納する。この場合、本フローチャートは、Ｓ８１３に進む。
【０１０７】
Ｓ８１３において、制御部１０１は、給電ステータスデータを電子機器２００に送信するように第１の通信部１０６を制御する。制御部１０１は、Ｓ８１２で設定された給電パラメータ及び電子機器２００への所定の電力の伝送を開始することを示すデータを含む給電ステータスデータを生成する。さらに、制御部１０１は、生成した給電ステータスデータを電子機器２００に送信するように第１の通信部１０６を制御する。この場合、本フローチャートは、Ｓ８１４に進む。
【０１０８】
給電装置１００から送信された給電ステータスデータがＷＰＴ＿ＲＴＤデータ４００に格納された場合、第１の通信部２０６は、給電ステータスデータが正常にＷＰＴ＿ＲＴＤデータ４００に書き込まれたことを示す応答データを給電装置１００に送信する。
【０１０９】
そこで、Ｓ８１４において、制御部１０１は、給電ステータスデータが送信されてから一定の時間が経過するまでの間に、第１の通信部１０６が電子機器２００から応答データを受信したか否かを判定する。第１の通信部１０６が電子機器２００から応答データを受信したと判定された後（Ｓ８１４でＹｅｓ）、本フローチャートは、Ｓ８１６に進む。給電ステータスデータが送信されてから一定の時間が経過した場合であっても、第１の通信部１０６が電子機器２００から応答データを受信していないと判定された後（Ｓ８１４でＮｏ）、本フローチャートは、Ｓ８１５に進む。なお、第１の通信部１０６が電子機器２００から受信した応答データが、給電ステータスデータが正常にＷＰＴ＿ＲＴＤデータ４００に書き込まれていないことを示していない場合も、本フローチャートは、Ｓ８１５に進む。
【０１１０】
Ｓ８１５において、制御部１０１は、Ｓ８０３と同様に、通信のエラーが検出されたことを示すデータを表示部１０９に表示させる。この場合、本フローチャートは、Ｓ８０４に進む。
【０１１１】
Ｓ８１６において、制御部１０１は、メモリ１０８に給電可能フラグを設定する。この場合、本フローチャートは終了し、図６のＳ６０５に進む。
【０１１２】
また、Ｓ８０９において、制御部１０１は、所定の範囲３００内に異物が存在しているか否かを判定するために、検出部１０４で検出されるＶＳＷＲが所定値以上変化したか否かを検出するようにしたが、これに限られないものとする。
【０１１３】
所定の範囲３００内に異物が置かれた場合、電流検出部１１１で検出される電流が急激に上昇する場合がある。そこで、Ｓ８０９において、制御部１０１は、所定の範囲３００内に異物が存在しているか否かを判定するために、電流検出部１１１で検出される電流が所定の電流値以上であるか否かを検出するようにしてもよい。なお、所定の電流値は、異物の存在を識別するための閾値である。電流検出部１１１で検出される電流が所定の電流値以上である場合は、ＶＳＷＲが所定値以上変化した場合（Ｓ８０９でＹｅｓ）と同様に、図８のフローチャートは、Ｓ８０９からＳ８１０に進む。電流検出部１１１で検出される電流が所定の電流値以上でない場合は、ＶＳＷＲが所定値以上変化していない場合（Ｓ８０９でＮｏ）と同様に、図８のフローチャートは、Ｓ８０９からＳ８１２に進む。
【０１１４】
また、所定の範囲３００内に異物が置かれた場合、温度検出部１１２で検出される温度が急激に上昇する場合がある。そこで、Ｓ８０９において、制御部１０１は、所定の範囲３００内に異物が存在しているか否かを判定するために、温度検出部１１２で検出される温度が所定の温度以上であるか否かを検出するようにしてもよい。なお、所定の温度は、異物の存在を識別するための閾値である。温度検出部１１２で検出される温度が所定の温度以上である場合は、ＶＳＷＲが所定値以上変化した場合（Ｓ８０９でＹｅｓ）と同様に、図８のフローチャートは、Ｓ８０９からＳ８１０に進む。温度検出部１１２で検出される温度が所定の温度以上でない場合は、ＶＳＷＲが所定値以上変化していない場合（Ｓ８０９でＮｏ）と同様に、図８のフローチャートは、Ｓ８０９からＳ８１２に進む。
【０１１５】
（給電処理）
次に、実施例１において、図６のＳ６０６において、制御部１０１によって行われる給電処理について、図９のフローチャートを用いて説明する。給電処理は、制御部１０１がメモリ１０８に格納されているコンピュータプログラムを実行することにより実現することができる。
【０１１６】
Ｓ９０１において、制御部１０１は、Ｓ８１２で設定された給電パラメータに応じて、所定の電力を出力するように給電部１０２を制御する。さらに、制御部１０１は、所定の電力が出力されてから経過した時間を計測するようにタイマー１０１ａを制御する。この場合、本フローチャートは、Ｓ９０２に進む。
【０１１７】
Ｓ９０２において、制御部１０１は、タイマー１０１ａによって計測された時間に応じて、所定の電力が出力されてから所定の時間が経過したか否かを判定する。タイマー１０１ａによって計測された時間が所定の時間以上である場合、制御部１０１は、所定の電力が出力されてから所定の時間が経過したと判定し（Ｓ９０２でＹｅｓ）、本フローチャートは、Ｓ９０４に進む。タイマー１０１ａによって計測された時間が所定の時間以上でない場合、制御部１０１は、所定の電力が出力されてから所定の時間が経過していないと判定し（Ｓ９０２でＮｏ）、本フローチャートは、Ｓ９０３に進む。
【０１１８】
Ｓ９０３において、制御部１０１は、Ｓ８０９と同様に、検出部１０４で検出されるＶＳＷＲが所定値以上変化したか否かを検出する。検出部１０４で検出されるＶＳＷＲが所定値以上変化した場合（Ｓ９０３でＹｅｓ）、本フローチャートは、Ｓ９０４に進む。検出部１０４で検出されるＶＳＷＲが所定値以上変化していない場合（Ｓ９０３でＮｏ）、本フローチャートは、Ｓ９０１に戻る。
【０１１９】
Ｓ９０４において、制御部１０１は、所定の電力の出力を停止するように給電部１０２を制御する。この場合、本フローチャートは、Ｓ９０５に進む。
【０１２０】
Ｓ９０５において、制御部１０１は、通信電力を出力するように給電部１０２を制御する。この場合、本フローチャートは、終了し、図６のＳ６０４に戻る。
【０１２１】
Ｓ９０３において、制御部１０１は、所定の範囲３００内に異物が存在しているか否かを判定するために、電流検出部１１１で検出される電流が所定の電流値以上であるか否かを検出するようにしてもよい。電流検出部１１１で検出される電流が所定の電流値以上である場合は、ＶＳＷＲが所定値以上変化した場合（Ｓ９０３でＹｅｓ）と同様に、図９のフローチャートは、Ｓ９０３からＳ９０４に進む。電流検出部１１１で検出される電流が所定の電流値以上でない場合は、ＶＳＷＲが所定値以上変化していない場合（Ｓ９０３でＮｏ）と同様に、図９のフローチャートは、Ｓ９０３からＳ９０１に戻る。
【０１２２】
また、Ｓ９０３において、制御部１０１は、所定の範囲３００内に異物が存在しているか否かを判定するために、温度検出部１１２で検出される温度が所定の温度以上であるか否かを検出するようにしてもよい。温度検出部１１２で検出される温度が所定の温度以上である場合は、ＶＳＷＲが所定値以上変化した場合（Ｓ９０３でＹｅｓ）と同様に、図９のフローチャートは、Ｓ９０３からＳ９０４に進む。温度検出部１１２で検出される温度が所定の温度以上でない場合は、ＶＳＷＲが所定値以上変化していない場合（Ｓ９０３でＮｏ）と同様に、図９のフローチャートは、Ｓ９０３からＳ９０１に戻る。
【０１２３】
（第１の認証処理）
次に、実施例１において、図７のＳ７０４において、制御部１０１によって行われる第１の認証処理について、図１０のフローチャートを用いて説明する。第１の認証処理は、制御部１０１がメモリ１０８に格納されているコンピュータプログラムを実行することにより実現することができる。
【０１２４】
Ｓ１００１において、制御部１０１は、ＷＰＴ＿ＲＴＤデータ４００を識別するために、識別データを要求するデータを電子機器２００に送信するように第１の通信部１０６を制御する。この場合、本フローチャートは、Ｓ１００２に進む。
【０１２５】
Ｓ１００２において、制御部１０１は、ＷＰＴ＿ＲＴＤデータ４００を検出したか否かを判定する。第１の通信部１０６が電子機器２００から識別データを受信した場合、制御部１０１は、電子機器２００の識別データから電子機器２００のレコードタイプ名を取得する。その後、制御部１０１は、電子機器２００のレコードタイプ名に基づいて、ＷＰＴ＿ＲＴＤデータ４００を検出したか否かを判定する。ＷＰＴ＿ＲＴＤデータ４００が検出された場合（Ｓ１００２でＹｅｓ）、本フローチャートはＳ１００３に進む。ＷＰＴ＿ＲＴＤデータ４００が検出されていない場合（Ｓ１００２でＮｏ）、本フローチャートはＳ１００１に戻る。なお、第１の通信部１０６が電子機器２００から識別データを受信していない場合も、本フローチャートはＳ１００１に戻る。
【０１２６】
Ｓ１００３において、制御部１０１は、第１の通信部１０６が受信した電子機器２００の識別データを解析し、電子機器２００の識別データに含まれるデータを確認する。この場合、本フローチャートはＳ１００４に進む。
【０１２７】
Ｓ１００４において、制御部１０１は、Ｓ１００３において行われた電子機器２００の識別データの解析結果を用いて、電子機器２００の識別データに通信エラーが発生しているか否かを検出する。電子機器２００の識別データに通信エラーが検出された場合（Ｓ１００４でＹｅｓ）、本フローチャートは、Ｓ１００５に進む。電子機器２００の識別データに通信エラーが検出されていない場合（Ｓ１００４でＮｏ）、本フローチャートは、Ｓ１００７に進む。
【０１２８】
Ｓ１００５において、制御部１０１は、給電装置１００と電子機器２００との間における通信のエラーが検出されたことを示すデータを表示部１０９に表示させる。この場合、本フローチャートは、Ｓ１００６に進む。
【０１２９】
Ｓ１００６において、制御部１０１は、メモリ１０８に認証失敗フラグを設定する。この場合、本フローチャートは終了し、図６のＳ６０３に進む。
【０１３０】
Ｓ１００７において、制御部１０１は、Ｓ８０９と同様に、検出部１０４で検出されるＶＳＷＲが所定値以上変化したか否かを検出する。検出部１０４で検出されるＶＳＷＲが所定値以上変化した場合（Ｓ１００７でＹｅｓ）、本フローチャートは、Ｓ１００８に進む。検出部１０４で検出されるＶＳＷＲが所定値以上変化していない場合（Ｓ１００７でＮｏ）、本フローチャートは、Ｓ１００９に進む。
【０１３１】
Ｓ１００８において、制御部１０１は、異物が検出されたことを通知するためのデータを表示部１０９に表示させる。この場合、本フローチャートは、Ｓ１００６に進む。
【０１３２】
Ｓ１００９において、制御部１０１は、Ｓ１００３において行われた電子機器２００の識別データの解析結果を用いて、電子機器２００が給電装置１００に対応しているか否かを判定する。
【０１３３】
例えば、Ｓ１００９において、制御部１０１は、電子機器２００の識別データの解析結果に基づいて、給電装置１００が対応している給電方法と電子機器２００が対応している給電方法とが一致しているか否かを判定する。制御部１０１は、給電装置１００が対応している給電方法と電子機器２００が対応している給電方法とが一致している場合、電子機器２００が給電装置１００に対応していると判定する。また、制御部１０１は、給電装置１００が対応している給電方法と電子機器２００が対応している給電方法とが一致していない場合、電子機器２００が給電装置１００に対応していないと判定する。
【０１３４】
また、例えば、Ｓ１００９において、制御部１０１は、電子機器２００の識別データの解析結果に基づいて、給電装置１００が対応している給電の制御プロトコルと電子機器２００が対応している給電の制御プロトコル方法とが一致しているか否かを判定する。制御部１０１は、給電装置１００が対応している給電の制御プロトコルと電子機器２００が対応している給電の制御プロトコルとが一致している場合、電子機器２００が給電装置１００に対応していると判定する。また、給電装置１００が対応している給電の制御プロトコルと電子機器２００が対応している給電の制御プロトコルとが一致していない場合、電子機器２００が給電装置１００に対応していないと判定する。
【０１３５】
電子機器２００が給電装置１００に対応していないと判定された後（Ｓ１００９でＮｏ）、本フローチャートは、Ｓ１０１０に進む。電子機器２００が給電装置１００に対応していると判定された後（Ｓ１００９でＹｅｓ）、本フローチャートは、Ｓ１０１１に進む。
【０１３６】
Ｓ１０１０において、制御部１０１は、給電装置１００と電子機器２００との間における認証のエラーが検出されたことを示すデータを表示部１０９に表示させる。この場合、本フローチャートは、Ｓ１００６に進む。
【０１３７】
Ｓ１０１１において、制御部１０１は、Ｓ１００３において行われた電子機器２００の識別データの解析結果を用いて、電子機器２００が第１のタグを持っているか否かを判定する。制御部１０１は、電子機器２００の識別データに電子機器２００が第１のタグを持っていることを示すデータが含まれているか否かに応じて、電子機器２００が第１のタグを持っているか否かを判定する。電子機器２００の識別データに電子機器２００が第１のタグを持っていることを示すデータが含まれている場合、制御部１０１は、電子機器２００が第１のタグを持っていると判定し（Ｓ１０１１でＹｅｓ）、本フローチャートは、Ｓ１０１２に進む。電子機器２００の識別データに電子機器２００が第１のタグを持っていることを示すデータが含まれていない場合、制御部１０１は、電子機器２００が第１のタグを持っていないと判定し（Ｓ１０１１でＮｏ）、本フローチャートは、Ｓ１０１０に進む。
【０１３８】
Ｓ１０１２において、制御部１０１は、メモリ１０８に認証成功フラグを設定する。この場合、本フローチャートは終了し、図６のＳ６０３に進む。
【０１３９】
また、Ｓ１００７において、制御部１０１は、、所定の範囲３００内に異物が存在しているか否かを判定するために、検出部１０４で検出されるＶＳＷＲが所定値以上変化したか否かを検出するようにしたが、これに限られないものとする。
【０１４０】
そこで、Ｓ１００７において、制御部１０１は、、所定の範囲３００内に異物が存在しているか否かを判定するために、電流検出部１１１で検出される電流が所定の電流値以上であるか否かを検出するようにしてもよい。電流検出部１１１で検出される電流が所定の電流値以上である場合は、ＶＳＷＲが所定値以上変化した場合（Ｓ１００７でＹｅｓ）と同様に、図１０のフローチャートは、Ｓ１００７からＳ１００８に進む。電流検出部１１１で検出される電流が所定の電流値以上でない場合は、ＶＳＷＲが所定値以上変化していない場合（Ｓ１００７でＮｏ）と同様に、図１０のフローチャートは、Ｓ１００７からＳ１００９に進む。
【０１４１】
また、Ｓ１００７において、制御部１０１は、、所定の範囲３００内に異物が存在しているか否かを判定するために、温度検出部１１２で検出される温度が所定の温度以上であるか否かを検出するようにしてもよい。温度検出部１１２で検出される温度が所定の温度以上である場合は、ＶＳＷＲが所定値以上変化した場合（Ｓ１００７でＹｅｓ）と同様に、図１０のフローチャートは、Ｓ１００７からＳ１００８に進む。温度検出部１１２で検出される温度が所定の温度以上でない場合は、ＶＳＷＲが所定値以上変化していない場合（Ｓ１００７でＮｏ）と同様に、図１０のフローチャートは、Ｓ１００７からＳ１００９に進む。
【０１４２】
なお、図１０のＳ１００１、Ｓ１００２、Ｓ１００３及びＳ１００９が第２の処理に対応する処理である。
【０１４３】
（第２の認証処理）
次に、実施例１において、図７のＳ７０６において、制御部１０１によって行われる第２の認証処理について、図１１のフローチャートを用いて説明する。第２の認証処理は、制御部１０１がメモリ１０８に格納されているコンピュータプログラムを実行することにより実現することができる。
【０１４４】
Ｓ１１０１において、制御部１０１は、ＷＰＴ＿ＲＴＤデータ４００を識別するために、識別データを要求するデータを送信するように第１の通信部１０６を制御する。この場合、本フローチャートは、Ｓ１１０２に進む。
【０１４５】
Ｓ１１０２において、制御部１０１は、ＷＰＴ＿ＲＴＤデータ４００を検出したか否かを判定する。第１の通信部１０６が電子機器２００から識別データを受信した場合、制御部１０１は、電子機器２００の識別データから電子機器２００のレコードタイプ名を取得する。その後、制御部１０１は、電子機器２００のレコードタイプ名に基づいて、ＷＰＴ＿ＲＴＤデータ４００を検出したか否かを判定する。ＷＰＴ＿ＲＴＤデータ４００が検出された場合（Ｓ１１０２でＹｅｓ）、本フローチャートはＳ１１０３に進む。ＷＰＴ＿ＲＴＤデータ４００が検出されていない場合（Ｓ１１０２でＮｏ）、本フローチャートはＳ１１０１に戻る。なお、第１の通信部１０６が電子機器２００から識別データを受信していない場合も、本フローチャートはＳ１１０１に戻る。
【０１４６】
Ｓ１１０３において、制御部１０１は、第１の通信部１０６が受信した電子機器２００の識別データを解析し、電子機器２００の識別データに含まれるデータを確認する。この場合、本フローチャートはＳ１１０４に進む。
【０１４７】
Ｓ１１０４において、制御部１０１は、Ｓ１１０３において行われた電子機器２００の識別データの解析結果を用いて、電子機器２００の識別データに通信エラーが発生しているか否かを検出する。電子機器２００の識別データに通信エラーが検出された場合（Ｓ１１０４でＹｅｓ）、本フローチャートは、Ｓ１１０５に進む。電子機器２００の識別データに通信エラーが検出されていない場合（Ｓ１１０４でＮｏ）、本フローチャートは、Ｓ１１０６に進む。
【０１４８】
Ｓ１１０５において、制御部１０１は、給電装置１００と電子機器２００との間における通信のエラーが検出されたことを示すデータを表示部１０９に表示させる。この場合、本フローチャートは終了し、図１０のＳ１００１に進む。
【０１４９】
Ｓ１１０６において、制御部１０１は、Ｓ８０９と同様に、検出部１０４で検出されるＶＳＷＲが所定値以上変化したか否かを検出する。検出部１０４で検出されるＶＳＷＲが所定値以上変化した場合（Ｓ１１０６でＹｅｓ）、本フローチャートは、Ｓ１１０７に進む。検出部１０４で検出されるＶＳＷＲが所定値以上変化していない場合（Ｓ１１０６でＮｏ）、本フローチャートは、Ｓ１１０８に進む。
【０１５０】
Ｓ１１０７において、制御部１０１は、異物が検出されたことを通知するためのデータを表示部１０９に表示させる。この場合、本フローチャートは終了し、図１０のＳ１００１に進む。
【０１５１】
Ｓ１１０８において、制御部１０１は、Ｓ１１０３において行われた電子機器２００の識別データの解析結果を用いて、電子機器２００が第１のタグを持っているか否かを判定する。制御部１０１は、電子機器２００の識別データに電子機器２００が第１のタグを持っていることを示すデータが含まれているか否かに応じて、電子機器２００が第１のタグを持っているか否かを判定する。電子機器２００の識別データに電子機器２００が第１のタグを持っていることを示すデータが含まれている場合、制御部１０１は、電子機器２００が第１のタグを持っていると判定し（Ｓ１１０８でＹｅｓ）、本フローチャートは、Ｓ１１１０に進む。電子機器２００の識別データに電子機器２００が第１のタグを持っていることを示すデータが含まれていない場合、制御部１０１は、電子機器２００が第１のタグを持っていないと判定し（Ｓ１１０８でＮｏ）、本フローチャートは、Ｓ１１０９に進む。
【０１５２】
Ｓ１１０９において、制御部１０１は、給電装置１００と電子機器２００との間における認証のエラーが検出されたことを示すデータを表示部１０９に表示させる。この場合、本フローチャートは終了し、図１０のＳ１００１に進む。
【０１５３】
Ｓ１１１０において、制御部１０１は、メモリ１０８に認証成功フラグを設定する。この場合、本フローチャートは終了し、図６のＳ６０３に進む。
【０１５４】
また、Ｓ１１０６において、制御部１０１は、、所定の範囲３００内に異物が存在しているか否かを判定するために、検出部１０４で検出されるＶＳＷＲが所定値以上変化したか否かを検出するようにしたが、これに限られないものとする。
【０１５５】
そこで、Ｓ１１０６において、制御部１０１は、、所定の範囲３００内に異物が存在しているか否かを判定するために、電流検出部１１１で検出される電流が所定の電流値以上であるか否かを検出するようにしてもよい。電流検出部１１１で検出される電流が所定の電流値以上である場合は、ＶＳＷＲが所定値以上変化した場合（Ｓ１１０６でＹｅｓ）と同様に、図１１のフローチャートは、Ｓ１１０６からＳ１１０７に進む。電流検出部１１１で検出される電流が所定の電流値以上でない場合は、ＶＳＷＲが所定値以上変化していない場合（Ｓ１１０６でＮｏ）と同様に、図１１のフローチャートは、Ｓ１１０６からＳ１１０８に進む。
【０１５６】
また、Ｓ１１０６において、制御部１０１は、、所定の範囲３００内に異物が存在しているか否かを判定するために、温度検出部１１２で検出される温度が所定の温度以上であるか否かを検出するようにしてもよい。温度検出部１１２で検出される温度が所定の温度以上である場合は、ＶＳＷＲが所定値以上変化した場合（Ｓ１１０６でＹｅｓ）と同様に、図１１のフローチャートは、Ｓ１１０６からＳ１１０７に進む。温度検出部１１２で検出される温度が所定の温度以上でない場合は、ＶＳＷＲが所定値以上変化していない場合（Ｓ１１０６でＮｏ）と同様に、図１１のフローチャートは、Ｓ１１０６からＳ１１０８に進む。
【０１５７】
このように、実施例１に係る給電装置１００は、電子機器２００との通信に応じて、給電装置１００と電子機器２００との無線給電のための認証を行い、認証結果に応じて、電子機器２００に無線給電を行うか否かを制御するようにした。そのため、給電装置１００は、無線給電の認証が成功した電子機器２００に対して無線給電を行うようにし、無線給電の認証が成功していない電子機器２００を保護することができる。
【０１５８】
また、給電装置１００は、電子機器２００との通信に応じて、電子機器２００の状態を検出し、検出された電子機器２００の状態に応じて、電子機器２００に無線給電を行うか否かを制御するようにした。そのため、給電装置１００は、受電の状態を検出することができる電子機器２００に対して無線給電を行うようにし、受電の状態を検出することができない電子機器２００を保護することができる。さらに、給電装置１００は、エラーが発生していない電子機器２００に対して無線給電を行うようにし、エラーが発生した電子機器２００を保護することができる。さらに、給電装置１００は、充電が完了していない電子機器２００に対して無線給電を行うようにし、充電が完了した電子機器２００を保護することができる。
【０１５９】
また、給電装置１００は、所定の電力を電子機器２００に供給している場合、給電装置１００は、検出部１０４、電流検出部１１１及び温度検出部１１２の少なくとも一つにより電子機器２００に充電や給電に関するエラーが発生したか否かを検出するようにした。検出部１０４、電流検出部１１１及び温度検出部１１２の少なくとも一つによって、電子機器２００に充電や給電に関するエラーが発生したことが検出された場合、所定の電力の出力を停止し、電子機器２００と通信するようにした。これにより、電子機器２００への給電を適切に制御するようにすることができる。
【０１６０】
さらに、給電装置１００は、電子機器２００がＷＰＴ＿ＡＦＩデータ５００を持っているか否かに応じて、第１の認証処理によって電子機器２００との認証を行うか、第２の認証処理によって電子機器２００との認証を行うかを制御するようにした。
【０１６１】
これにより、給電装置１００は、給電装置１００と電子機器２００との認証が適切な処理によって行われるようにすることができる。
【０１６２】
したがって、実施例１に係る給電装置１００は、給電装置１００と電子機器２００との通信に応じて、電子機器２００への無線給電が適切に行われるようにすることができる。
【０１６３】
実施例１において、給電装置１００は、給電アンテナ１０７を用いて電子機器２００に所定の電力を供給し、給電アンテナ１０７を用いて第１の通信部１０６と電子機器２００との通信を行うようにしたが、これに限られないものとする。例えば、給電装置１００は、電子機器２００に所定の電力を供給するためのアンテナと、第１の通信部１０６と電子機器２００との通信を行うためのアンテナとを別々に有する構成であってもよい。
【０１６４】
また、電子機器２００は、受電アンテナ２０３を用いて給電装置１００から電力を受け取り、受電アンテナ２０３を用いて給電装置１００と第１の通信部２０６との通信を行うようにしたが、これに限られないものとする。例えば、電子機器２００は、給電装置１００から電力を受け取るためのアンテナと、給電装置１００と第１の通信部２０６との通信を行うアンテナとを別々に有する構成であってもよい。
【０１６５】
なお、第１の通信部１０６がＮＦＣ規格におけるリーダライタとして動作するものとして説明を行ったが、これに限られないものとする。例えば、第１の通信部１０６がＮＦＣ規格におけるＰ２Ｐ（Ｐｅｅｒ  Ｔｏ  Ｐｅｅｒ）として動作するものであってもよい。
【０１６６】
なお、所定の給電方法は、磁界共鳴方式を用いた給電方法以外の給電方法であってもよい。例えば、所定の給電方法は、ＷＰＣ（Ｗｉｒｅｌｅｓｓ  Ｐｏｗｅｒ  Ｃｏｎｓｏｒｔｉｕｍ）に規定されている「Ｑｉ」規格に対応する給電方法であってもよい。
【０１６７】
また、所定の給電方法は、ＷＰＴ（Ｗｉｒｅｌｅｓｓ  Ｐｏｗｅｒ  Ｔｒａｎｓｍｉｓｓｏｎ）に規定されている規格に対応する給電方法であってもよい。
【０１６８】
また、所定の給電方法は、ＣＥＡ（Ｃｏｎｓｕｍｅｒ  Ｅｌｅｃｔｒｏｎｉｃｓ  Ａｓｓｏｃｉａｔｉｏｎ）に規定されている規格に対応する給電方法であってもよい。
【０１６９】
また、所定の給電方法は、Ａ４ＷＰに規定されている規格に対応する給電方法であってもよい。
【０１７０】
給電装置１００が給電アンテナ１０７を介して通信電力及び所定の電力のいずれか一つを出力する場合、制御部１０１は、給電アンテナ１０７の共振周波数を所定の周波数ｆに設定するように整合回路１０５を制御するものとした。しかし、これに限られないものとする。
【０１７１】
例えば、給電装置１００が給電アンテナ１０７を介して通信電力を出力する場合に、制御部１０１は、給電アンテナ１０７の共振周波数を所定の周波数ｆである１３．５６［ＭＨｚ］に設定するように整合回路１０５を制御してもよい。しかし、給電装置１００が給電アンテナ１０７を介して所定の電力を出力する場合に、制御部１０１は、給電アンテナ１０７の共振周波数を所定の周波数ｆと異なる周波数に設定するように整合回路１０５を制御してもよい。所定の周波数ｆと異なる周波数とは、例えば、６．７８［ＭＨｚ］や１００〜２５０［ＫＨｚ］であってもよい。
【０１７２】
（他の実施例）
本発明に係る給電装置は、実施例１で説明した給電装置１００に限定されるものではない。例えば、本発明に係る給電装置は、複数の装置から構成されるシステムにより実現することも可能である。また、本発明に係る電子機器は、実施例１で説明した電子機器２００に限定されるものではない。例えば、本発明に係る電子機器は、複数の装置から構成されるシステムにより実現することも可能である。
【０１７３】
また、実施例１で説明した様々な処理及び機能は、コンピュータプログラムより実現することも可能である。この場合、本発明に係る処理はコンピュータプログラムで実行可能であり、実施例１で説明した様々な機能を実現することになる。
【０１７４】
本発明に係るコンピュータプログラムは、コンピュータ上で稼動しているＯＳ（Ｏｐｅｒａｔｉｎｇ  Ｓｙｓｔｅｍ）などを利用して、実施例１で説明した様々な処理及び機能を実現してもよいことは言うまでもない。
【０１７５】
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【符号の説明】
【０１７６】
１００  給電装置
２００  電子機器
【図１】
2014220875.tif 000003
【図２】
2014220875.tif 000004
【図３】
2014220875.tif 000005
【図４】
2014220875.tif 000006
【図５】
2014220875.tif 000007
【図６】
2014220875.tif 000008
【図７】
2014220875.tif 000009
【図８】
2014220875.tif 000010
【図９】
2014220875.tif 000011
【図１０】
2014220875.tif 000012
【図１１】
2014220875.tif 000013